(57)【要約】【課題】被害者から離れた場所におけるストーカー犯罪者の行動を監視できる監視システム等を提供する。【解決手段】被害者が所有する第１携帯電話１０と、ストーカー犯罪者が所有する第２携帯電話２０と、第２携帯電話２０の位置を監視する監視サーバ３０と、から成る監視システムＳＹである。第１携帯電話１０は、地図サイトにアクセスして、監視対象となる固定位置Ｐ１，Ｐ２を設定し、その情報を監視サーバ３０に送信しておく。監視サーバ３０は、第２携帯電話２０が発信した電波から、当該第２携帯電話２０の位置情報である第２位置情報を取得して、設定された固定位置Ｐ１，Ｐ２を中心とした所定距離内のエリアＥＦ１，ＥＦ２内に、第２携帯電話２０が存在するか否かを判定し、存在すると判定した場合、第２位置情報を第１携帯電話１０に送信する。【選択図】図１
2009296114.tif 000002
【特許請求の範囲】
【請求項１】
監視依頼者が所有するものであって、少なくとも通信機能および表示機能を有する第１
情報端末と、
監視対象者に装着、または当該監視対象者が所有するものであって、少なくとも通信機
能を有する第２情報端末と、
前記第２情報端末の位置を監視する監視サーバと、から成る監視システムにおいて、
前記第１情報端末は、
地図サイトにアクセスして、監視対象となる固定位置を設定するための操作部と、
前記固定位置の地図上の位置を示す固定位置情報を、前記監視サーバに送信する固定位
置情報送信部と、を備え、
前記監視サーバは、
前記第１情報端末から、前記固定位置情報を受信する固定位置情報受信部と、
受信した前記位置情報に基づいて、前記固定位置の周辺エリアである固定エリアを登録
する固定エリア登録部と、
前記第２情報端末が発信した電波から、当該第２情報端末の位置情報である第２位置情
報を取得する第２位置情報取得部と、
取得した前記第２位置情報に基づいて、前記固定エリア内に、前記第２情報端末が存在
するか否かを判定する判定部と、
前記固定エリア内に前記第２情報端末が存在すると判定した場合、前記第２位置情報を
前記第１情報端末に送信する第２位置情報送信部と、を備えたことを特徴とする監視シス
テム。
【請求項２】
前記第１情報端末は、
当該第１情報端末のＧＰＳ情報を取得するＧＰＳ情報取得部をさらに備え、
前記操作部は、前記固定位置として、取得した前記ＧＰＳ情報に基づく現在位置を設定
できることを特徴とする請求項１に記載の監視システム。
【請求項３】
前記操作部は、前記固定位置と共に、前記固定エリアの範囲を設定可能であり、
前記固定位置情報には、前記固定エリアの範囲に関する情報も含まれることを特徴とす
る請求項１または２に記載の監視システム。
【請求項４】
前記監視サーバは、
前記第１情報端末から、当該第１情報端末の位置情報である第１位置情報を取得する第
１位置情報取得部をさらに備え、
前記判定部は、前記固定エリア以外に、取得した前記第１位置情報に基づく位置の周辺
エリアである移動エリア内に、前記第２情報端末が存在するか否かについても判定し、
前記第２位置情報送信部は、前記移動エリア内に前記第２情報端末が存在すると判定し
た場合、前記第２位置情報を前記第１情報端末に送信することを特徴とする請求項１ない
し３のいずれか１項に記載の監視システム。
【請求項５】
少なくとも通信機能および表示機能を有する情報端末であって、
地図サイトにアクセスして、監視対象となる固定位置を設定するための操作部と、
前記固定位置の地図上の位置を示す固定位置情報を外部装置に送信可能な固定位置情報
送信部と、
当該情報端末のＧＰＳ情報を取得するＧＰＳ情報取得部と、を備え、
前記操作部は、前記固定位置として、取得した前記ＧＰＳ情報に基づく現在位置を設定
できることを特徴とする情報端末。
【請求項６】
前記操作部は、前記固定位置と共に、前記固定位置の周辺エリアである固定エリアの範
囲を設定可能であり、
前記固定位置情報には、前記固定エリアの範囲に関する情報も含まれることを特徴とす
る請求項５に記載の情報端末。
【請求項７】
監視依頼者が所有するものであって、少なくとも通信機能および表示機能を有する第１
情報端末と、
監視対象者に装着、または当該監視対象者が所有するものであって、少なくとも通信機
能を有する第２情報端末と、
前記第２情報端末の位置を監視する監視サーバと、から成る監視システムのサービス提
供方法において、
前記第１情報端末が、
地図サイトにアクセスして、監視対象となる固定位置を設定するステップ、
前記固定位置の地図上の位置を示す固定位置情報を、前記監視サーバに送信するステッ
プ、を実行し、
前記監視サーバが、
前記第１情報端末から受信した前記位置情報に基づいて、前記固定位置の周辺エリアで
ある固定エリアを登録するステップ、
前記第２情報端末が発信した電波から、当該第２情報端末の位置情報である第２位置情
報を取得するステップ、
前記固定エリア内に、前記第２情報端末が存在する場合、前記第２位置情報を前記第１
情報端末に送信するステップ、を実行することを特徴とする監視システムのサービス提供
方法。
【請求項８】
コンピュータに、請求項７に記載の監視システムのサービス提供方法における各ステッ
プを実行させるためのプログラム。
【発明の詳細な説明】
【技術分野】
【０００１】
監視対象者の行動を監視する監視システム、情報端末、監視システムのサービス提供方
法およびそのプログラムに関するものである。
【背景技術】
【０００２】
従来、監視対象者の行動を監視する監視システムの一例として、徘徊者を探索するシス
テムが提案されている（例えば、特許文献１）。当該探索システムは、徘徊者の監視の依
頼を受けた警備会社が、徘徊者の位置と、徘徊者を探索する探索者（警備会社のスタッフ
）の位置と、の相対的な位置関係を示す情報を、探索者が所持する携帯電話機に提供する
ことで、探索者による徘徊者の探索を迅速に行い得るようにしたものである。
【特許文献１】特開２０００−３０４５６４号公報
【発明の開示】
【発明が解決しようとする課題】
【０００３】
ところで、近年ストーカー被害を訴える被害者が増加している。そこで、上記の探索シ
ステムを適用すれば、被害者がストーカー犯罪者の居場所を知ることができ、被害防止に
役立つことが想定される。しかしながら、悪質なストーカー犯罪者は、被害者の後を付け
まわすだけでなく、被害者が自宅を出た後、自宅の敷地内に侵入したり、郵便受けを物色
したりなどの行為も行う。このため、上記の探索システムでは、このような被害者から離
れた場所で行われるストーカー行為を把握することができず、十分な監視ができないとい
った問題があった。また、近年ストーカー被害は、殺人事件などに発展するケースも多く
、悪質化の傾向にあるため、早急且つ有効な防止策が望まれている。
【０００４】
一方、海外では、保護観察を受けた犯罪者に対し、ＧＰＳ情報を発信するビーコンタグ
を取り付けて犯罪者の行動を監視することが一般的になっている。近年では、電子腕輪と
称される取り外し不可能な装置を犯罪者に装着する方法も韓国等で採用されている。この
ような背景もあり、ストーカー犯罪者に対しても、近い将来、ビーコンタグや電子腕輪が
装着されるようになることが予想できる。
【０００５】
本発明は、上記の問題点に鑑み、被害者から離れた場所におけるストーカー犯罪者の行
動を監視できる監視システム、情報端末、監視システムのサービス提供方法およびそのプ
ログラムを提供することを目的とする。
【課題を解決するための手段】
【０００６】
本発明の監視システムは、監視依頼者が所有するものであって、少なくとも通信機能お
よび表示機能を有する第１情報端末と、監視対象者に装着、または当該監視対象者が所有
するものであって、少なくとも通信機能を有する第２情報端末と、第２情報端末の位置を
監視する監視サーバと、から成る監視システムにおいて、第１情報端末は、地図サイトに
アクセスして、監視対象となる固定位置を設定するための操作部と、固定位置の地図上の
位置を示す固定位置情報を、監視サーバに送信する固定位置情報送信部と、を備え、監視
サーバは、第１情報端末から、固定位置情報を受信する固定位置情報受信部と、受信した
位置情報に基づいて、固定位置の周辺エリアである固定エリアを登録する固定エリア登録
部と、第２情報端末が発信した電波から、当該第２情報端末の位置情報である第２位置情
報を取得する第２位置情報取得部と、取得した第２位置情報に基づいて、固定エリア内に
、第２情報端末が存在するか否かを判定する判定部と、固定エリア内に第２情報端末が存
在すると判定した場合、第２位置情報を第１情報端末に送信する第２位置情報送信部と、
を備えたことを特徴とする。
【０００７】
本発明の監視システムのサービス提供方法は、監視依頼者が所有するものであって、少
なくとも通信機能および表示機能を有する第１情報端末と、監視対象者に装着、または当
該監視対象者が所有するものであって、少なくとも通信機能を有する第２情報端末と、第
２情報端末の位置を監視する監視サーバと、から成る監視システムのサービス提供方法に
おいて、第１情報端末が、地図サイトにアクセスして、監視対象となる固定位置を設定す
るステップ、固定位置の地図上の位置を示す固定位置情報を、監視サーバに送信するステ
ップ、を実行し、監視サーバが、第１情報端末から受信した位置情報に基づいて、固定位
置の周辺エリアである固定エリアを登録するステップ、第２情報端末が発信した電波から
、当該第２情報端末の位置情報である第２位置情報を取得するステップ、固定エリア内に
、第２情報端末が存在する場合、第２位置情報を第１情報端末に送信するステップ、を実
行することを特徴とする。
【０００８】
これらの構成によれば、第１情報端末により設定された固定位置の周辺エリアに第２情
報端末が存在する場合、当該第２情報端末の位置情報である第２位置情報を、第１情報端
末に送信するため、第２情報端末を所有する監視対象者（例えば、ストーカー犯罪者）の
行動を、第１情報端末を所有する監視依頼者（被害者）が、把握することができる。つま
り、自宅など、ストーカー犯罪者のターゲットとなりそうな地点を固定位置として設定し
ておくことで、監視依頼者が自宅を留守にしている場合でも、自宅周辺にいるストーカー
犯罪者の居場所を確認することができ、安心して帰宅することができる。また、被害者は
、第１情報端末から地図サイトにアクセスして固定位置を設定できるため、旅行、引越し
、出張など様々な状況の変化に応じて、固定位置（固定エリア）の変更・追加・削除を、
簡単且つ気軽に行うことができる。
また、監視サーバは、第１情報端末に対し、固定エリア内に第２情報端末が存在する場
合のみ第２位置情報を送信する（言い換えれば、固定エリア内に第２情報端末が存在しな
い場合は第２位置情報を送信しない）ため、被害者に対し、ストーカー犯罪者の日常行動
など知りたくもない情報まで知らせてしまうことがない。さらに、ストーカー犯罪者の最
低限のプライバシーを守ることにもなる。
なお、第１情報端末としては、携帯電話、ＰＨＳ、ＰＤＡ、パーソナルコンピュータな
ど、情報受信機能を有する端末を適用可能である。また、第２情報端末としては、携帯電
話やＰＨＳの他、ビーコンタグや電子腕輪など、情報発信機能を有し且つストーカー犯罪
者が常に所有または装着可能な端末を適用可能である。
【０００９】
上記に記載の監視システムにおいて、第１情報端末は、当該第１情報端末のＧＰＳ情報
を取得するＧＰＳ情報取得部をさらに備え、操作部は、固定位置として、取得したＧＰＳ
情報に基づく現在位置を設定できることが好ましい。
【００１０】
この構成によれば、第１情報端末のＧＰＳ情報に基づいて、簡単に現在位置を設定する
ことができる。例えば、被害者が自宅に居る場合は、ＧＰＳ情報を取得して現在位置であ
る自宅を設定できるため、設定操作が容易である。
なお、ＧＰＳ情報とは、全地球測位システム（Global Positioning System）により提
供される情報を指すものである。
【００１１】
上記に記載の監視システムにおいて、操作部は、固定位置と共に、固定エリアの範囲を
設定可能であり、固定位置情報には、固定エリアの範囲に関する情報も含まれることが好
ましい。
【００１２】
この構成によれば、被害者の被害状況やニーズに応じて、固定エリアの範囲を設定でき
るため、さらに利便性が良い。
【００１３】
上記に記載の監視システムにおいて、監視サーバは、第１情報端末から、当該第１情報
端末の位置情報である第１位置情報を取得する第１位置情報取得部をさらに備え、判定部
は、固定エリア以外に、取得した第１位置情報に基づく位置の周辺エリアである移動エリ
ア内に、第２情報端末が存在するか否かについても判定し、第２位置情報送信部は、移動
エリア内に第２情報端末が存在すると判定した場合、第２位置情報を第１情報端末に送信
することが好ましい。
【００１４】
この構成によれば、監視サーバは、被害者の現在位置の周辺エリアである移動エリア内
に、第２情報端末が存在する場合にも、ストーカー犯罪者の位置を示す第２位置情報を第
１情報端末に送信するため、被害者は、ストーカー犯罪者が自分の後を付け回しているよ
うな場合も、そのことを把握することができ、早急に対策を講じることができる。
【００１５】
本発明の情報端末は、少なくとも通信機能および表示機能を有する情報端末であって、
地図サイトにアクセスして、監視対象となる固定位置を設定するための操作部と、固定位
置の地図上の位置を示す固定位置情報を外部装置に送信可能な固定位置情報送信部と、当
該情報端末のＧＰＳ情報を取得するＧＰＳ情報取得部と、を備え、操作部は、固定位置と
して、取得したＧＰＳ情報に基づく現在位置を設定できることを特徴とする。
【００１６】
上記に記載の情報端末において、操作部は、固定位置と共に、固定位置の周辺エリアで
ある固定エリアの範囲を設定可能であり、固定位置情報には、固定エリアの範囲に関する
情報も含まれることが好ましい。
【００１７】
本発明のプログラムは、コンピュータに、上記に記載の監視システムのサービス提供方
法における各ステップを実行させるためのものであることを特徴とする。
【００１８】
これらを用いることにより、被害者から離れた場所におけるストーカー犯罪者の行動を
監視できる監視システムを実現できる。
【発明を実施するための最良の形態】
【００１９】
以下、添付した図面を参照して、本発明の一実施形態に係る監視システム、情報端末、
監視システムのサービス提供方法およびそのプログラムについて説明する。図１は、監視
システムＳＹの概要を示すシステム構成図である。同図に示すように、監視システムＳＹ
は、ストーカー被害を受けた被害者（監視依頼者）が所有する第１携帯電話１０（第１情
報端末，情報端末）と、被害者によりストーカー被害を訴えられた犯罪者（監視対象者）
が所有する第２携帯電話２０（第２情報端末）と、被害者からの依頼を受けて第２携帯電
話２０の位置を監視する監視サーバ３０と、から成る。
【００２０】
監視サーバ３０は、警察署や保護観察所など保護観察を行い得る第三者機関からの許可
を受けて、携帯電話の通信会社等により運営・管理される。被害者は、警察署に被害届や
告訴状を提出し、それが受理された場合に、監視システムＳＹによるサービス提供を受け
ることができるようになっている。携帯電話の通信会社は、警察署等からの指示により、
被害者の携帯電話アドレスやストーカー犯罪者の携帯電話アドレス等、監視サービスを提
供するために必要な情報を、監視サーバ３０内の監視データベース４１に登録する。その
後、監視データベース４１には、第１携帯電話１０によって登録された被害者の自宅Ｐ１
や職場Ｐ２の地図上における位置（マップコードや住所）も登録される。
【００２１】
この登録により、監視サーバ３０は、ストーカー犯罪者（第２携帯電話２０）が、被害
者自宅Ｐ１や被害者職場Ｐ２の周辺エリアＥＦ１，ＥＦ２（固定エリア）に侵入した場合
、並びにストーカー犯罪者（第２携帯電話２０）が、被害者（第１携帯電話１０）の現在
位置の周辺エリアＥＭ（移動エリア）に存在する場合、ストーカー犯罪者の現在位置を示
す情報（第２位置情報）を第１携帯電話１０に提供するサービスを行う。
【００２２】
なお、監視データベース４１に、被害者の携帯電話アドレスを登録するものとしたが、
携帯電話に代えて、被害者が日常携行する通信機器（ノート型パソコンやＰＤＡ、ＰＨＳ
など通信機能を有する電子機器）のアドレスを登録してもよい。また、監視データベース
４１に、ストーカー犯罪者の携帯電話アドレスを登録するものとしたが、法制の下におい
て、ビーコンタグや電子腕輪の装着が認められている国や自治体においては、それらの位
置情報発信機の識別番号を登録しても良い。
【００２３】
次に、図２を参照し、携帯電話１０，２０および監視サーバ３０の制御構成について説
明する。なお、第１携帯電話１０および第２携帯電話２０の制御構成は同様であるため、
ここでは第１携帯電話１０についてのみ説明する。図２（ａ）は、第１携帯電話１０の制
御ブロック図であり、図２（ｂ）は監視サーバ３０の制御ブロック図である。
【００２４】
図２（ａ）に示すように、第１携帯電話１０は、ＣＰＵ１１（Central Processing Uni
t）、ＲＡＭ１２（Random Access Memory）、ＲＯＭ１３（Read Only Memory）、ディス
プレイ１４（表示画面）、ＧＰＳ受信機５、操作キー１５、スピーカー１６、バイブレー
タ１７、通信部１８およびアンテナ１９を有している。
【００２５】
ＣＰＵ１１は、第１携帯電話１０を統括制御する中央処理装置であり、ＲＡＭ１２は、
ＣＰＵ１１が各種演算処理を行うためのワークエリアとして用いられる。また、ＲＯＭ１
３は、ＣＰＵ１１が各種演算処理を行うための制御プログラムを記憶している。ディスプ
レイ１４は、液晶タイプの表示画面であり、本実施形態では主に、自宅Ｐ１や職場Ｐ２な
どの固定位置の設定操作、並びに第２携帯電話２０の現在位置を確認するために用いられ
る。ＧＰＳ受信機５は、ＧＰＳ情報を受信するためのものであり、本実施形態では主に、
地図上に現在位置をプロットするために用いられる。操作キー１５は、数字キーおよび各
種機能キーを含むものであり、本実施形態では主に、自宅Ｐ１や職場Ｐ２などの固定位置
を設定するために用いられる。スピーカー１６は、着信時や電波受信時などに音声を出力
するためのものであり、バイブレータ１７は、着信時や電波受信時などに振動の発生によ
ってその旨を知らせるためのものである。また、通信部１８およびアンテナ１９は、電波
の送受信（監視サーバ３０との通信）を行うためのものである。
【００２６】
一方、図２（ｂ）に示すように、監視サーバ３０は、ＣＰＵ３１（Central Processing
Unit）、ＲＡＭ３２（Random Access Memory）、ＲＯＭ３３（Read Only Memory）、Ｈ
ＤＤ３４（Hard disk drive）、通信部３５およびアンテナ３６を有している。また、監
視サーバ３０は、これらの構成以外にも、一般的なパーソナルコンピュータと同様の制御
構成を有している。
【００２７】
ＨＤＤ３４は、書き換え可能且つ不揮発性の記憶装置であり、上記の監視データベース
４１を格納している。また、通信部３５およびアンテナ３６は、第１携帯電話１０および
第２携帯電話２０と通信を行うためのものである。
【００２８】
次に、図３を参照し、監視データベース４１について説明する。同図は、監視データベ
ース４１の一例を示す図である。監視データベース４１は、被害者が有する第１携帯電話
１０のＩＤと、当該被害者が被害を訴えたストーカー犯罪者が有する第２携帯電話２０の
ＩＤと、被害者が設定した固定位置（例えば、固定位置のマップコードなど）と、固定エ
リアＥＦおよび移動エリアＥＭ（いずれも図１参照）のエリア半径と、を関連付けて記憶
している。また、１の第１携帯電話ＩＤに対して、１以上の第２携帯電話ＩＤおよび１以
上の固定エリアＥＦが関連付けられる。なお、携帯電話ＩＤと携帯電話アドレスは、不図
示のテーブルにて対応付けられている。
【００２９】
また、固定位置およびエリア半径については、第１携帯電話１０により、設定・変更が
可能となっている。エリア半径とは、被害者が設定した固定位置、または被害者の現在位
置から半径何キロメートル以内を監視対象とするかを指すものであり、後述する操作によ
って任意に設定可能である。つまり、監視サーバ３０は、監視データベース４１に設定さ
れた固定位置から、設定されたエリア半径の円を固定エリアＥＦとし、その中にストーカ
ー犯罪者が侵入した場合、被害者（第１携帯電話１０）に対し、ストーカー犯罪者（第２
携帯電話２０）の位置情報を送信する。したがって、被害者がストーカー犯罪者により深
刻な被害を受けている場合、エリア半径を大きく設定することによって、より慎重且つ適
切な対応策を講じることができるようになる。
【００３０】
次に、図４を参照し、固定エリア（固定位置およびエリア半径）の設定方法について説
明する。同図は、第１携帯電話１０のディスプレイ１４に表示される地図データを示す図
である。被害者は、第１携帯電話１０にインストールされた地図検索ツールを利用し、操
作キー１５を用いて地名、住所、施設名、郵便番号などを入力することにより、所望の固
定位置を含む地図データをディスプレイ１４上に表示させる。同図（ａ）において、参照
番号ＰＳは、固定位置を示す。また、参照番号Ｅ１は、デフォルト設定の固定エリアＥＦ
を示す。デフォルト設定の固定エリアＥ１は、固定位置ＰＳを中心とした半径２ｋｍのエ
リアである。なお、地図検索ツールを利用して地名等の情報を入力するのではなく、ＧＰ
Ｓ情報を取得し、固定位置として、第１携帯電話１０の現在位置を地図データに設定する
ことも可能である。
【００３１】
被害者は、同図（ａ）に示す状態から、所定キー（「拡大」機能が割り当てられたキー
）を所定時間押下することにより、固定エリアＥＦを拡大させることが可能である。すな
わち、同図（ｂ）に示す参照番号Ｅ２は、拡大操作後の固定エリアＥＦを示す。このよう
に、被害者は、操作キー１５の操作によって、固定エリアＥＦの半径を、任意に（例えば
、１００ｍ〜１０ｋｍの範囲で）設定可能となっている。
【００３２】
次に、図５を参照し、監視システムＳＹの機能構成について説明する。同図は、監視シ
ステムＳＹの機能ブロック図である。同図に示すように、第１携帯電話１０は、主な機能
構成として、ＧＰＳ情報取得部１００、電波発信部１１０、操作部１２０、固定位置情報
送信部１３０、第２位置情報受信部１４０および表示制御部１５０を備えている。
【００３３】
ＧＰＳ情報取得部１００は、ＧＰＳ受信機５を主要部として構成されるものであり、第
１携帯電話１０の現在位置を示すＧＰＳ情報を取得する。このＧＰＳ情報は、後述する操
作部１２０により、固定位置として現在位置を設定するために利用される。電波発信部１
１０は、通信部１８およびアンテナ１９を主要部として構成されるものであり、第１携帯
電話１０の現在位置、すなわち被害者の現在位置を示す電波を発信する。操作部１２０は
、操作キー１５を主要部として構成されるものであり、固定位置、並びに固定エリアＥＦ
および移動エリアＥＭのエリア半径（以下、固定位置の住所およびエリア半径を総称して
「固定位置情報」と称する）を設定するために用いられる。
【００３４】
固定位置情報送信部１３０は、ＣＰＵ１１、通信部１８およびアンテナ１９を主要部と
して構成されるものであり、操作部１２０によって設定された固定位置情報を監視サーバ
３０に送信する。第２位置情報受信部１４０は、通信部１８およびアンテナ１９を主要部
として構成されるものであり、監視サーバ３０から送信された第２位置情報を受信する。
第２位置情報としては、具体的に第２携帯電話２０の位置を示すマップコード、地図ＵＲ
Ｌ、若しくは緯度、経度および高度等を示す情報を受信する。
【００３５】
表示制御部１５０は、ＣＰＵ１１を主要部として構成されるものであり、第２位置情報
受信部１４０により受信した第２位置情報に基づいて、第２携帯電話２０の現在位置、す
なわちストーカー犯罪者の現在位置をディスプレイ１４に表示する。なお、現在位置は、
第２位置情報を地図データに反映させて（地図上にストーカー犯罪者の現在位置をプロッ
トして）表示する。
【００３６】
一方、ストーカー犯罪者が所有する第２携帯電話２０は、主な機能構成として、電波発
信部２１０を備えている。電波発信部２１０は、通信部（通信部１８と同機能）およびア
ンテナ（アンテナ１９と同機能）を主要部として構成されるものであり、第２携帯電話２
０の現在位置を示す電波を発信する。
【００３７】
続いて、監視サーバ３０の機能構成について説明する。監視サーバ３０は、主な機能構
成として、固定位置情報受信部３１０、固定エリア登録部３２０、記憶部３３０、第１位
置情報取得部３４０、第２位置情報取得部３５０、判定部３６０および第２位置情報送信
部３７０を備えている。
【００３８】
固定位置情報受信部３１０は、通信部３５およびアンテナ３６を主要部として構成され
るものであり、第１携帯電話１０から固定位置情報を受信する。固定エリア登録部３２０
は、ＣＰＵ３１およびＨＤＤ３４を主要部として構成されるものであり、固定位置情報受
信部３１０により受信した固定位置情報に基づいて、固定エリアＥＦを登録する。なお、
「固定エリアを登録する」とは、固定エリアＥＦの中心位置となる固定位置と、固定エリ
アＥＦのエリア半径と、を監視データベース４１に登録することを指す。なお、本実施形
態においては、固定エリアＥＦのエリア半径と移動エリアＥＭのエリア半径とは同一であ
るものとする。
【００３９】
記憶部３３０は、ＨＤＤ３４を主要部として構成されるものであり、監視データベース
４１を記憶する。第１位置情報取得部３４０は、ＣＰＵ３１、通信部３５およびアンテナ
３６を主要部として構成されるものであり、第１携帯電話１０の電波発信部１１０により
発信された電波に基づいて、当該第１携帯電話１０の位置情報である第１位置情報を取得
する。具体的には、第１携帯電話１０の電波を受信した基地局によって、第１携帯電話１
０の位置を特定し、当該特定した位置を示すマップコード、地図ＵＲＬ、若しくは緯度、
経度および高度等を、第１位置情報として取得する。同様に、第２位置情報取得部３５０
は、ＣＰＵ３１、通信部３５およびアンテナ３６を主要部として構成されるものであり、
第２携帯電話２０の電波発信部２１０により発信された電波から、当該第２携帯電話２０
の位置を示す位置を示すマップコード、地図ＵＲＬ、若しくは緯度、経度および高度等を
、第２位置情報として取得する。
【００４０】
判定部３６０は、ＣＰＵ３１を主要部として構成されるものであり、固定エリアＥＦお
よび移動エリアＥＭ内に、第２携帯電話２０が存在するか否かを判定する。具体的には、
記憶部３３０に記憶されている監視データベース４１を参照して第１携帯電話ＩＤに関連
付けられている１以上の第２携帯電話ＩＤを抽出する。そして、第２位置情報取得部３５
０が取得した第２位置情報に基づいて、抽出した１以上のＩＤに対応する第２携帯電話２
０の現在位置が、登録されている固定エリアＥＦ内に存在するか否かを判定する。さらに
、判定部３６０は、第１位置情報取得部３４０が取得した第１位置情報に基づいて、第２
携帯電話２０の現在位置が、第１携帯電話１０の現在位置を中心とした移動エリアＥＭ内
に存在するか否かを判定する。
【００４１】
第２位置情報送信部３７０は、ＣＰＵ３１、通信部３５およびアンテナ３６を主要部と
して構成されるものであり、上記の判定部３６０により固定エリアＥＦまたは移動エリア
ＥＭ内に第２携帯電話２０が存在すると判定した場合、第２位置情報（第２携帯電話２０
の緯度、経度および高度等を示す情報）を第１携帯電話１０に送信する。
【００４２】
次に、図６を参照し、固定位置情報の登録方法について説明する。同図は、監視サーバ
３０が第１携帯電話１０から受信した固定位置情報を監視データベース４１に登録する処
理を示すフローチャートである。同図に示すように、第１携帯電話１０は、地図データを
取得するためのモバイル版地図サイトにアクセスして（Ｓ０１）、地図データを取得する
（Ｓ０２）。また、取得した地図データをディスプレイ１４上に表示させて、固定位置お
よび固定エリアＥＦのエリア半径の設定を促す（Ｓ０３）。設定方法は、図４にて前述の
通りである。Ｓ０３の設定を終えると、第１携帯電話１０は、その設定に基づく固定位置
情報を監視サーバ３０に送信する（Ｓ０４）。監視サーバ３０は、固定位置情報を受信す
ると（Ｓ０５）、これを監視データベース４１に登録する（Ｓ０６）。
【００４３】
次に、図７を参照し、監視システムＳＹのサービス提供方法について説明する。同図は
、監視サーバ３０が第２位置情報を第１携帯電話１０に提供する処理を示すフローチャー
トである。なお、ここでは監視データベース４１内に、既に固定位置情報が登録されてい
るものとする。
【００４４】
まず、第２携帯電話２０は、定期的に電波を発信する（Ｓ１１）。監視サーバ３０は、
第２携帯電話２０から発信される電波によって特定される第２位置情報を取得する（Ｓ１
２）。ここで、第２携帯電話２０が固定エリアＥＦまたは移動エリアＥＭ内に存在するか
否かを判別し（Ｓ１３）、存在すると判定した場合（Ｓ１３：Ｙｅｓ）、第２位置情報を
第１携帯電話１０に送信する（Ｓ１４）。また、存在しないと判定した場合は（Ｓ１３：
Ｎｏ）、第２携帯電話２０から、定期的に発信される電波に基づいて、第２位置情報の取
得（Ｓ１２）および第２携帯電話２０の存在の有無についての判別（Ｓ１３）を繰り返す
。
【００４５】
なお、監視サーバ３０は、第２携帯電話２０が固定エリアＥＦまたは移動エリアＥＭ内
に存在すると判定した場合（Ｓ１３：Ｙｅｓ）、第２位置情報を第１携帯電話１０に送信
する（Ｓ１４）と共に、ＨＤＤ３４内の所定領域（図示省略）に、取得した第２位置情報
を記録する（Ｓ１５）。これは、被害者が重大な被害を受けた場合など、警察等に証拠資
料として提出するためである。この第２位置情報の記録は、所定時間（例えば、１時間な
ど）継続して行われる。なお、所定時間継続するのではなく、後述する第１携帯電話１０
からのキャンセル信号受信（Ｓ１６：Ｙｅｓ）によって、第２位置情報の記録を終了して
も良い。
【００４６】
一方、第１携帯電話１０は、監視サーバ３０から第２位置情報を受信すると（Ｓ２１）
、スピーカー１６による音声出力またはバイブレータ１７による振動によって、第２位置
情報受信を報知すると共に、第２携帯電話２０の現在位置を示す地図データをディスプレ
イ１４上に表示する（Ｓ２２）。当該地図データは、第２携帯電話２０の現在位置が、所
定のマークにより地図上に表示されたものである。また、操作キー１５の操作により、表
示する向きや縮尺などが変更可能に表示される。
【００４７】
ここで、第１携帯電話１０の操作キー１５によりキャンセル操作が行われた場合（Ｓ２
３：Ｙｅｓ）、つまり第２位置情報の受信が拒否された場合、その旨を示すキャンセル信
号を監視サーバ３０に送信する（Ｓ２４）。また、キャンセル操作が行わない場合は（Ｓ
２３：Ｎｏ）、監視サーバ３０から定期的に送信される第２位置情報を受信して（Ｓ２１
）、第２携帯電話２０の現在位置をディスプレイ１４上に表示する（Ｓ２２）。なお、第
１携帯電話１０は、ＲＡＭ１２内など所定の記憶領域に、地図データ（第２位置情報がプ
ロットされたもの）を静止画データとして格納しておき、ストーカー犯罪者の移動軌跡が
分かるように、複数の静止画データをスライド表示させることができるようになっている
。
【００４８】
監視サーバ３０は、第１携帯電話１０からキャンセル信号を受信すると（Ｓ１６：Ｙｅ
ｓ）、第１携帯電話１０への情報提供を中止する。すなわち、キャンセル信号の受信後、
所定時間（例えば２時間）は、第２携帯電話２０が固定エリアＥＦまたは移動エリアＥＭ
内に存在すると判定した場合（Ｓ１３：Ｙｅｓ）でも、第１携帯電話１０への情報提供を
行わない。また、キャンセル信号を受信しない場合は（Ｓ１６：Ｎｏ）、第２携帯電話２
０から定期的に発信される電波に基づいて第２位置情報を取得し（Ｓ１７）、Ｓ１４以降
の処理を繰り返す。
【００４９】
なお、上記のＳ１４において、第１携帯電話１０が監視サーバ３０にキャンセル信号を
送信する場合、第２位置情報の受信を拒否する時間を指定可能としても良い。この場合、
操作キー１５に含まれる数字キーにより時間指定が可能である。また、この場合、監視サ
ーバ３０は、監視データベース４１にその所定時間を記録しておき、当該監視データベー
ス４１を参照して、第１携帯電話１０への第２位置情報の提供の有無を判断することとな
る。
【００５０】
以上説明したとおり、本実施形態の監視システムＳＹによれば、予め設定された固定位
置を中心とした固定エリアＥＦにストーカー犯罪者が所有する第２携帯電話２０が存在す
る場合、当該第２携帯電話２０の現在位置を、第１携帯電話１０のディスプレイ１４に表
示するため、第１携帯電話１０を所有する被害者が、ストーカー犯罪者の行動を把握する
ことができる。これにより、例えば自宅Ｐ１など、ストーカー犯罪者のターゲットとなり
そうな地点を固定位置として設定しておくことで、被害者が自宅Ｐ１を留守にしている場
合でも、自宅周辺にいるストーカー犯罪者の居場所を確認することができ、安心して帰宅
することができる。また、被害者は、第１携帯電話１０から地図サイトにアクセスして固
定位置を設定することができるため、旅行、引越し、出張などの状況の変化に応じて、固
定位置情報の変更・追加・削除を、簡単且つ気軽に行うことができる。
【００５１】
また、被害者の現在位置を中心とした移動エリアＥＭ内に、第２携帯電話２０が存在す
る場合にも、第２携帯電話２０の現在位置を、第１携帯電話１０のディスプレイ１４に表
示するため、被害者は、ストーカー犯罪者が自分の後を付け回しているような場合も、そ
のことを把握することができ、早急に対策を講じることができる。このように、本実施形
態の監視システムＳＹでは、ストーカー犯罪者が自宅Ｐ１などを監視している場合と、被
害者の後を付回している場合の双方において、ストーカー犯罪者の行動を把握できるため
、被害者は安心した日常生活を送ることができる。
【００５２】
一方、監視サーバ３０は、第１携帯電話１０に対し、固定エリアＥＦ内に第２携帯電話
２０が存在する場合のみ、第２携帯電話２０の位置を示す第２位置情報を送信し、固定エ
リアＥＦ内に第２携帯電話２０が存在しない場合は、第２位置情報を送信しない。したが
って、被害者は、自分の行動エリアとは離れた場所におけるストーカー犯罪者の日常行動
など知りたくもない情報まで知らされることが無く、不快感を軽減できる。さらに、スト
ーカー犯罪者の最低限のプライバシーを守ることにもなる。
【００５３】
なお、上記の実施形態では、第２携帯電話２０が固定エリアＥＦまたは移動エリアＥＭ
内に存在すると判定したとき、すなわちストーカー犯罪者が固定エリアＥＦまたは移動エ
リアＥＭ内に侵入したとき、監視サーバ３０が、ストーカー犯罪者の現在位置を示す第２
位置情報を第１携帯電話１０へ送信するものとしたが、第２位置情報として、ストーカー
犯罪者の現在位置だけでなく、過去所定時間分の移動軌跡を示す情報を第１携帯電話１０
へ送信するようにしても良い。この構成によれば、被害者は、ストーカー犯罪者が固定エ
リアＥＦまたは移動エリアＥＭ内に居ることを把握できるだけでなく、そこに至る過去所
定時間分の移動軌跡（行動）も把握することができる。これにより、ストーカー犯罪者の
企てを推測することができ、より適切な対策を講じることができる。
【００５４】
また、上記の実施形態では、監視サーバ３０の第２位置情報送信部３７０は、第１携帯
電話１０に対し第２位置情報を送信するものとしたが、第２位置情報と共に、第１位置情
報を送信するようにしても良い。この構成によれば、被害者は、第１携帯電話１０に表示
された地図データ上で、被害者とストーカー犯罪者の位置関係を把握することができる。
また、この場合、過去所定時間分の第２位置情報と、過去所定時間分の第１位置情報と、
を送信するようにしても良い。この構成によれば、被害者は、過去所定時間分の被害者と
ストーカー犯罪者の移動軌跡を把握することができる。また、第１携帯電話１０は、監視
サーバ３０から第１位置情報を受信するのではなく、ＧＰＳ情報取得部１００により取得
したＧＰＳ情報を地図データに反映することにより、被害者（第１携帯電話１０）の現在
位置を表示するようにしても良い。
【００５５】
また、上記の実施形態では、監視サーバ３０の第１位置情報取得部３４０は、電波発信
部１１０により発信された電波から、第１位置情報を取得するものとしたが、第１携帯電
話１０のＧＰＳ情報取得部１００により取得したＧＰＳ情報を受信して、第１位置情報を
取得するようにしても良い。同様に、第２位置情報取得部３５０についても、第２携帯電
話２０のＧＰＳ情報取得部（図示省略）により取得したＧＰＳ情報を受信して、第２位置
情報を取得するようにしても良い。
【００５６】
また、上記の２つの実施形態では、固定エリアＥＦのエリア半径と移動エリアＥＭのエ
リア半径とは同一であるものとしたが、それぞれ個別に設定可能としても良い。また、固
定エリアＥＦのエリア半径については、設定した１以上の固定位置に対して、それぞれ個
別に設定可能としても良い。
【００５７】
また、固定エリアＥＦおよび移動エリアＥＭは、固定位置を中心とした「円」であるも
のとしたが、正方形や楕円形など、他の形状であっても良い。また、図８（ａ）に示すよ
うに、固定エリアＥＦは、被害者が地図上に描いた自由な図形であっても良い。この場合
、被害者は、第１携帯電話１０の操作キー１５を用いて（例えば、左右上下の各カーソル
に対応した数字キーを用いて）、鉛筆マーク７１を移動させ、自由に固定エリアＥＦの範
囲を設定することが可能である。図示の例では、駅から固定位置までの範囲を含むように
、固定エリアＥＦが設定されている。なお、このように設定された場合の固定位置情報は
、固定位置（マップコードや地図ＵＲＬ）と、固定エリアＥＦの範囲を示す形状データと
が含まれる。
【００５８】
また、同図（ｂ）に示すように、地図を所定領域ごとに区切った分割エリアの中から、
固定エリアＥＦとなる対象エリアを選択しても良い。この場合、被害者は、第１携帯電話
１０の操作キー１５を用いて（例えば、各エリアＥ１〜Ｅ９に対応した数字キーを用いて
）、対象エリアを選択することが可能である。図示の例では、斜線により示される３つの
分割エリアが固定エリアＥＦとして設定されている。なお、このように設定された場合の
固定位置情報は、固定位置（マップコードや地図ＵＲＬ）と、対象エリアのエリア番号と
が含まれる。
【００５９】
その他、固定エリアＥＦや移動エリアＥＭの形状は、地形や住所、国境や県境の有無等
によって、その形状は変化するものとしても良い。例えば、東京都千代田区内に各エリア
の中心が位置する場合、千代田区全体を固定エリアＥＦまたは移動エリアＥＭとしても良
い。
【００６０】
また、上記の２つの実施形態に示した監視システムＳＹ（第１携帯電話１０、第２携帯
電話２０または監視サーバ３０）の各構成要素をプログラムとして提供することが可能で
ある。また、そのプログラムを各種記録媒体（ＣＤ−ＲＯＭ、フラッシュメモリ等）に格
納して提供することも可能である。すなわち、コンピュータを、監視システムＳＹの各手
段として機能させるためのプログラム、およびそれを記録した記録媒体も、本発明の権利
範囲に含まれる。
【００６１】
また、監視システムＳＹのシステム構成、処理工程、携帯電話１０，２０の機能等につ
いて、本発明の要旨を逸脱しない範囲で、適宜変更が可能である。
【図面の簡単な説明】
【００６２】
【図１】本発明の一実施形態に係る監視システムの概要を示すシステム構成図である。
【図２】携帯電話および監視サーバの制御ブロック図である。
【図３】監視データベースの一例を示す図である。
【図４】固定エリア（固定位置およびエリア半径）の設定方法を示す図である。
【図５】監視システムの機能ブロック図である。
【図６】固定位置情報の登録処理を示すフローチャートである。
【図７】第１携帯電話に、第２位置情報を提供する処理を示すフローチャートである。
【図８】固定エリアの設定方法を示す図である。
【符号の説明】
【００６３】
１０…第１携帯電話  １４…ディスプレイ  １５…操作キー  ２０…第２携帯電話  ３
０…監視サーバ  ４１…監視データベース  ＥＦ…固定エリア  ＥＭ…移動エリア  Ｐ…
固定位置  ＳＹ…監視システム
【図１】
2009296114.tif 000003
【図２】
2009296114.tif 000004
【図３】
2009296114.tif 000005
【図４】
2009296114.tif 000006
【図５】
2009296114.tif 000007
【図６】
2009296114.tif 000008
【図７】
2009296114.tif 000009
【図８】
2009296114.tif 000010